(57)【要約】【課題】電池２００の保守交換作業を容易にする非常用照明器具９０２を提供する。【解決手段】非常用照明器具９０２は本体１１０に枠３００を取り付けることで全体を円柱状に形成する。また、非常用照明器具９０２は円柱内部に電池２００を取り付ける電池取付部１４０を有している。そして、枠３００は電池２００を外部から挿入するための電池挿入開口部３９０を底面３０２に有している。また、電池２００はリチウムポリマー蓄電池を薄型に成形している。利用者は、枠３００を取り外さなくても、電池挿入開口部３９０から電池２００を挿入して電池２００を電池取付部１４０に取り付けることができる。【選択図】図１
2008262770.tif 000002
【特許請求の範囲】
【請求項１】
停電時に電池から電力が供給されて光源を点灯する照明器具において、
電池を取付ける取り付け部を有する本体と、
前記本体に取付けられ、前記本体を内部に収納するように覆う枠と、
を備え、
前記枠は前記枠の外部から電池を挿入する電池挿入開口部を有することを特徴とする照明器具。
【請求項２】
前記枠は前記電池挿入開口部から前記枠と前記本体との内部に電池を挿入した挿入先に前記電池取付部を位置させる向きで前記本体に取り付けられることを特徴とする請求項１記載の照明器具。
【請求項３】
前記照明器具は、
前記電池挿入開口部から前記枠と前記本体との内部に電池を挿入して挿入先に位置する前記電池取付部に電池を接続した際に電池の頭部を前記電池挿入開口部から外出しにさせることを特徴とする請求項２記載の照明器具。
【請求項４】
前記照明器具は、
前記枠に前記電池挿入開口部の少なくとも一部を含む範囲に凹部を有し、前記電池挿入開口部から前記枠と前記本体との内部に電池を挿入して挿入先に位置する前記電池取付部に電池を接続した際に前記電池挿入開口部において前記凹部の位置する部分から電池の頭部を外出しにさせることを特徴とする請求項２記載の照明器具。
【請求項５】
前記枠が電池の頭部と同じ素材であることを特徴とする請求項３〜請求項４いずれかに記載の照明器具。
【請求項６】
前記電池の端部に係合する係合部を前記枠に備えることを特徴とする請求項１〜請求項５のいずれかに記載の照明器具。
【請求項７】
Ｌ字薄型に成形したリチウムポリマー蓄電池を挿入する前記電池挿入開口部を有する前記枠と前記リチウムポリマー蓄電池を取り付ける前記電池取付部とを備えることを特徴とする請求項１〜請求項６いずれかに記載の照明器具。
【請求項８】
前記本体に光源を点灯するための点灯回路を備え、
前記点灯回路は、商用電源から電力が供給されているとき、前記商用電源からの電力により前記光源を点灯するとともに前記電池を充電し、前記商用電源から電力が供給されていないとき、前記電池の電力により前記光源を点灯することを特徴とする請求項１〜請求項７いずれかに記載の照明器具を用いた非常用照明器具。
【請求項９】
前記本体に光源を点灯するための点灯回路を備え、
前記点灯回路は、商用電源から電力が供給されているとき、前記光源を点灯させずに商用電源からの電力により前記電池を充電し、商用電源から電力が供給されていないとき、前記電池の電力により、前記光源を点灯することを特徴とする請求項１〜請求項７いずれかに記載の照明器具を用いた非常用照明器具。
【発明の詳細な説明】
【技術分野】
【０００１】
本発明は、例えば、電池を電源とする照明器具および非常用照明器具に関するものである。
【背景技術】
【０００２】
図１１、図１２は、従来の非常用照明器具９０１の分解斜視図である。
図１３は、図１２の非常用照明器具９０１の設置図である。
図１１に示すように、従来、非常用照明器具９０１は、天井９１０に本体ブロック１００を設置し、天井９１０に設置した本体ブロック１００に円筒状のニッケルカドミウム蓄電池をブロック状にした電池ブロック８００を取り付け、電池ブロック８００を本体ブロック１００に取り付けた後に枠３００を本体ブロック１００のバネ等で固定している。このため、電池ブロック８００の保守交換に際しては、枠３００を本体ブロック１００から取り外す必要があった。
また、図１２に示すような本体１１０ｂに本体ブロック１００ｂを内蔵するような従来の非常用照明器具９０１においては、電池ブロック８００ｂを本体ブロック１００ｂに取り付け、電池ブロック８００ｂを取り付けた本体ブロック１００ｂと共に枠３００ｂを本体１１０ｂに取り付け、図１３に示すように枠３００ｂを取り付けた本体１１０ｂを天井９１０に埋め込むように設置する。図１３は天井９１０に埋設された非常用照明器具９０１を側方から示している。また、図１３は本体１１０ｂ内において本体ブロック１００ｂに電池ブロック８００ｂが取り付けられていることを示している。この場合も、電池ブロック８００ｂの保守交換に際しては、枠３００ｂを本体１１０ｂから取り外す必要がある。
【特許文献１】特開平５−１９０００６号公報
【発明の開示】
【発明が解決しようとする課題】
【０００３】
非常用照明器具９０１は天井９１０等の高い位置に設置される場合が多いため、電池ブロック８００の保守交換では上を向いた姿勢での作業が必要となる。このため、電池ブロック８００の保守交換作業をより容易にすることが望まれる。
しかし、前述の通り、従来の非常用照明器具９０１では電池ブロック８００の保守交換に際して、枠３００の脱着作業が必要となる。さらに、枠３００の脱着作業においては点検スイッチ用長穴３２０に対する点検スイッチ１２２の位置合わせも必要となり、従来の非常用照明器具９０１における電池ブロック８００の保守交換作業は容易な作業ではなかった。
また、従来の非常用照明器具９０１で使用するニッケルカドミウム蓄電池を用いた電池ブロック８００は、必要電池容量（蓄電量）を満たすために、大きくまた、重くなってしまうという課題もあった。
【０００４】
そこで、本発明は、例えば、電池ブロック８００の保守交換作業を容易にする非常用照明器具９０２を提供することを目的とする。
【課題を解決するための手段】
【０００５】
本発明の照明器具は、停電時に電池から電力が供給されて光源を点灯する照明器具において、電池を取付ける取り付け部を有する本体と、前記本体に取付けられ、前記本体を内部に収納するように覆う枠とを備え、前記枠は前記枠の外部から電池を挿入する電池挿入開口部を有することを特徴とする。
【０００６】
本発明の電気器具は、電池を取り付ける電池取付部と前記電池取付部に蓋をする枠と前記電池取付部および前記枠を取り付け前記枠と共に前記電池取付部を内部に覆う本体とを備え、前記枠は前記枠の外部から電池を挿入する電池挿入開口部を有することを特徴とする。
【発明の効果】
【０００７】
本発明によれば、枠の外部から電池を挿入する電池挿入開口部を有することにより、例えば、枠を取り外さなくても電池を枠内の電池取付部に取り付けることができるため、電池ブロック８００の保守交換作業を容易にすることができる。
【発明を実施するための最良の形態】
【０００８】
実施の形態１．
以下、実施の形態１における非常用照明器具９０２として３つの実施例について説明する。
【０００９】
＜実施例１＞
図１は、実施例１における非常用照明器具９０２の分解斜視図である。
図２は、実施例１における非常用照明器具９０２に用いる電池２００の外観を示す三面図である。
図３、図４、図５および図１４は、実施例１における非常用照明器具９０２の設置状況を示す設置図である。
図６、図７は、実施例１における非常用照明器具９０２に対する電池２００の取付図である。
実施例１における非常用照明器具９０２について図１〜図７に基づいて以下に説明する。
【００１０】
まず、実施例１における非常用照明器具９０２の構成の要部を概略的に示す分解斜視図を図１に示す。
図１において、実施例１における非常用照明器具９０２は、円盤状の本体１１０にコントロールユニット１２０と反射板１３２と電球１３１と電池取付部１４０とが納められている本体ブロック１００を備える。そして、本体１１０がネジなどの器具やその他の接続手段により天井９１０に取り付けられることにより、本体ブロック１００は天井９１０に設置される。
電池取付部１４０は電池２００を接続する電池メスコネクタ１４１を備え、コントロールユニット１２０は電池取付部１４０に取り付けられた電池２００を電源として電球１３１を点灯させる。また、コントロールユニット１２０はＣＬインジケータ１２１と点検スイッチ１２２とを備える。例えば、コントロールユニット１２０は電池取付部１４０の電池メスコネクタ１４１と電池２００の電池オスコネクタ２１０との接触不良や電球１３１の異常を検出した際にＣＬインジケータ１２１を点灯、点滅または消灯させる。また例えば、コントロールユニット１２０は点検スイッチ１２２が押下され点検スイッチ１２２がオンになった際に予め設定された処理により電球１３１の点灯テストを行ったりＣＬインジケータ１２１の点灯状態をリセットしたりする。
【００１１】
また、コントロールユニット１２０は電球１３１を点灯させる点灯回路を備え、点灯回路は商用電源から電力が供給されているとき（非停電時）には商用電源からの電力により電球１３１を点灯させると共に電池２００を充電する。そして、商用電源から電力が供給されていないとき（停電時）にはコントロールユニット１２０の点灯回路は電池２００の電力により電球１３１を点灯させる。つまり、コントロールユニット１２０は、商用電源からの電力の供給の有無を検出する回路と、その検出結果に基づいて電球１３１への電力の供給源を商用電源または電池２００に切り換える回路と、電池２００を充電する回路とを有する点灯回路を備える。
また、コントロールユニット１２０の点灯回路は商用電源から電力が供給されていないときには電球１３１を点灯させずに商用電源からの電力による電池２００の充電のみ行い、商用電源から電力が供給されていないときには電池２００の電力により電球１３１を点灯させるように動作してもよい。このとき、非常用照明器具９０２は停電時のみ点灯する。
【００１２】
また、実施例１における非常用照明器具９０２は本体１１０に係合して取り付けられる枠３００を備える。
枠３００は、円盤状の本体１１０とほぼ同じ大きさ・外形を有するドーナツ状の底面３０２と底面３０２の外周縁から一方向に伸長する円筒状の側面３０１とを有し、全体を茶筒状に形成する。
枠３００において、底面３０２をドーナツ状に形成する電球用開口部３３０には枠３００が本体１１０に取り付けられた際に反射板１３２が位置し、電球１３１が発する光は電球用開口部３３０から照射される。
また、底面３０２は枠３００が本体１１０に取り付けられた際にコントロールユニット１２０のＣＬインジケータ１２１が位置してＣＬインジケータ１２１の点灯、点滅または消灯を外見させるＣＬインジケータ用丸穴３１０を備える。
また、底面３０２は枠３００が本体１１０に取り付けられた際にコントロールユニット１２０の点検スイッチ１２２が位置して点検スイッチ１２２の頭部を外出しする点検スイッチ用長穴３２０を有する。
【００１３】
さらに、底面３０２は枠３００が本体１１０に取り付けられた際に電池メスコネクタ１４１の伸長方向に位置して電池２００を枠３００の外部から受け入れる電池挿入開口部３９０を有する。
実施例１における非常用照明器具９０２は底面３０２に電池挿入開口部３９０を有することを特徴とする。
電池挿入開口部３９０は電池２００において電池オスコネクタ２１０側に位置する電池２００の底部２２０の幅方向と奥行き方向とで形成する平面の形状とほぼ同一形状を成し、電池２００の底部２２０の幅方向と奥行き方向とで形成する平面の外形より電池２００が進入できる程度にひと回り大きい大きさを有する。
例えば、図２に示すように、電池２００が電池オスコネクタ２１０側に位置する底部２２０に段差を有して高さ方向と幅方向とでＬ字形の平面Ａを形成し、幅方向と奥行き方向とで長方形の平面Ｂを形成する場合、電池挿入開口部３９０は電池２００の平面Ｂより電池２００が進入できる程度にひと回り大きい大きさの長方形を形成する。つまり、電池挿入開口部３９０は電池２００を挿入する最低限の大きさを有する。これにより、電池２００を電池挿入開口部３９０から挿入することができると共に電池２００と電池挿入開口部３９０との隙間からのホコリの進入を低減し、ホコリの付着による接触不良などの非常用照明器具９０２の故障を減らすことができる。
枠３００が本体１１０に取り付けられた際、電池２００を電池挿入開口部３９０から枠３００内に挿入した先に電池取付部１４０は位置し、電池２００を外部から電池挿入開口部３９０に挿入することにより電池２００の電池オスコネクタ２１０と電池取付部１４０の電池メスコネクタ１４１とが電気的に接続する。
【００１４】
実施例１における非常用照明器具９０２では、従来のニッケルカドミウム蓄電池ではなく、リチウムポリマー蓄電池を電源として用いる。
リチウムポリマー蓄電池にはニッケルカドミウム蓄電池に比べて蓄電量が大きく、また、自由な形状で小形に加工できるという特性があるため、リチウムポリマー蓄電池を用いる実施例１における非常用照明器具９０２は軽量化および小型化を図ることができる。
例えば、実施例１では、図２に示すように、奥行Ｄが浅く、高さ方向と幅方向とでＬ字形の平面Ａを形成するＬ字薄型の板形状に加工したリチウムポリマー蓄電池（電池２００）を用いる。Ｌ字薄型板形状の電池２００は、例えば、Ｌ字形状を形成する上段底部２２１と下段底部２２２とを有し、下段底部２２２に電池オスコネクタ２１０を備える。以下、上段底部２２１と下段底部２２２とを併せて底部２２０とする。また、底部２２０の反対側に位置し、底部２２０と高さ方向で対向する面を電池２００の頭部２４０とする。
図２では、電池２００の正面図（左下図）と正面図に対してβ方向から見た平面図（左上図）と正面図に対してα方向から見た右側面図（右図）とを示している。
【００１５】
次に、天井９１０に設置された本体１１０に枠３００を取り付けた際の非常用照明器具９０２を図３に示す。
図３において、非常用照明器具９０２は、枠３００が本体１１０に係合して取り付けられて全体で円柱状を形成し、枠３００と本体１１０とで本体ブロック１００を覆って本体ブロック１００を内含している。
枠３００の底面３０２に有するＣＬインジケータ用丸穴３１０部分には枠３００の内側において本体ブロック１００のＣＬインジケータ１２１が位置し、利用者は非常用照明器具９０２の下方からＣＬインジケータ用丸穴３１０においてＣＬインジケータ１２１の点灯状態を確認することができる。
また、枠３００の底面３０２に有する点検スイッチ用長穴３２０から枠３００の内部にある本体ブロック１００の点検スイッチ１２２が頭部を外出し、利用者は枠３００から突出する点検スイッチ１２２の頭部を押下して点検スイッチ１２２をオンにすることができる。
また、枠３００の底面３０２に有する電球用開口部３３０部分には枠３００の内側において反射板１３２と電球１３１とが位置し、電球１３１が発した光は反射板１３２に反射して電球用開口部３３０から下方に照射され非常用照明器具９０２の下方を照らす。
【００１６】
実施例１における非常用照明器具９０２では、枠３００を取り付け本体ブロック１００の電池取付部１４０が枠３００の内側に隠蔽された状態において、図３に示すように電池２００を枠３００の底面３０２に有する電池挿入開口部３９０から枠３００の内部に挿入することにより、電池２００を枠３００内部の電池取付部１４０に接続することができる。
つまり、利用者は枠３００を取り外さず電池挿入開口部３９０に電池２００を挿入するだけで電池２００を非常用照明器具９０２に取り付けることができる。
【００１７】
また、実施例１における非常用照明器具９０２では、枠３００を取り付けた状態において、枠３００内部に位置する電池取付部１４０に取り付けている電池２００を取り外すことができるように、図４や図５に示すように、利用者が電池２００を摘む部分として電池２００の頭部２４０を電池挿入開口部３９０から外出しさせる。
【００１８】
図６において、電池２００と電池取付部１４０との結合部分の正面図（左図）と正面図に対してα方向から見た右側面図（右図）とを示す。
電池２００と電池取付部１４０とが結合した際、電池２００の電池オスコネクタ２１０と電池取付部１４０の電池メスコネクタ１４１とは係合して電気的に接続する。また、電池２００が形成するＬ字の屈曲部分であり電池２００において上段底部２２１と下段底部２２２とが成す段差部分に電池取付部１４０が嵌まり込む。そして、Ｌ字を形成する電池２００と電池２００が形成するＬ字の屈曲部分に嵌合する四角形の電池取付部１４０とで正面から見て全体として四角形を形成する。電池２００と電池取付部１４０とを嵌合させて出っ張り部分を無くすことにより、実施例１における非常用照明器具９０２は余計なスペースを少なくして小型化を図ることができる。
電池取付部１４０は突出する電池メスコネクタ１４１部分を除いた電池取付本体１４２部分の高さｈとして、電池２００が形成するＬ字屈曲部分の高さＨａであり電池２００において上段底部２２１と下段底部２２２とが成す段差の高さＨａと同程度の高さを持つ。また、電池取付部１４０は電池取付本体１４２部分の幅ｗとして、電池２００が形成するＬ字屈曲部分の幅Ｗａであり下段底部２２２の幅Ｗａと同程度の幅を持つ。
【００１９】
また、図４において、枠３００内部に位置する電池取付部１４０に電池２００を取り付けた際、枠３００の底面３０２に位置する電池挿入開口部３９０から電池２００の頭部２４０を高さＨｃ程度外出しにする場合、枠３００の高さＨＦは図６に示す上段底部２２１と頭部２４０とが成す電池２００の高さＨより高さＨｃ程度低い高さである。つまり、電池２００の高さＨは枠３００の高さＨＦより利用者が電池２００を摘めるように設計した電池２００の外出し部分の高さＨｃ程度高い高さである。このとき、電池２００は枠３００の底面３０２から高さＨｃ程度露出する。
【００２０】
また、図５に示すように、枠３００は底面３０２において電池挿入開口部３９０の中央部分を含む円形の範囲に電池取出用凹部３９１を設けて電池２００を電池挿入開口部３９０から外出しするようにしてもよい。
例えば、枠３００内部に位置する電池取付部１４０に電池２００を取り付けた際、電池挿入開口部３９０において電池取出用凹部３９１が位置する部分から電池２００の頭部２４０の一部を高さＨｄ程度外出しにする場合、枠３００の高さＨＦは電池２００の高さＨとほぼ同じ高さである。そして、図７に示すように、電池取出用凹部３９１は電池２００を外出しする高さＨｄ程度凹んでいる。つまり、電池取出用凹部３９１の凹みの深さＤは利用者が電池２００を摘めるように設計した電池２００の外出し部分の高さＨｄと同程度の長さである。このとき、電池２００は枠３００の底面３０２から高さＨｄ程度露出する。
【００２１】
図４や図５に示すように、電池２００を枠３００内部に位置する電池取付部１４０に取り付けた際に、電池２００の頭部２４０の少なくとも一部を電池挿入開口部３９０から外出しすることにより、利用者は、枠３００を取り外さなくても、枠３００の電池挿入開口部３９０から突出する電池２００の頭部２４０を摘んで電池２００を抜き差しして非常用照明器具９０２に対して電池２００を脱着することができる。
【００２２】
また、枠３００からの電池２００の露出部分と枠３００とに同じような色合い、質感、光沢などを持った素材を用いることにより、枠３００と電池２００とが一体を成した見え方をし、非常用照明器具９０２は美観を損ねずに従来と同様な意匠性を確保することができる。例えば、電池２００の頭部２４０部分と同じ素材を用いて枠３００または枠３００の底面３０２を成形してもよいし、枠３００または枠３００の底面３０２に似た素材のシートを電池２００の全体、または、頭部２４０、または頭部２４０を含む露出部分に貼り付けてもよい。
【００２３】
また、図１４に示すように、電池挿入開口部３９０および電池２００の頭部２４０に蓋をするスライド板３９２（係合板の一例）とスライド板３９２を横にスライドさせるスライド溝３９３とを枠３００の底面３０２に有してもよい。スライド板３９２を有することにより、電池２００の落下を防止することができる。また、スライド板３９２の色合い、質感、光沢などを枠３００と同じにすることで非常用照明器具９０２の意匠性を従来と同様にすることができる。
また、横スライド形式以外にキャップ式や回転スライド式などの係合方法で係合板を電池挿入開口部３９０または電池２００の頭部２４０に係合させて電池２００の落下を防止したり意匠性を確保したりしてもよい。
【００２４】
実施例１において、本体ブロック１００と、電池挿入開口部３９０を有する共に本体ブロック１００を覆うように取り付ける枠３００と、この枠３００に挿入可能なリチウムポリマー蓄電池（電池２００）とを備えたことを特徴とする非常用照明器具９０２について説明した。
この非常用照明器具９０２は、電池挿入開口部３９０を設けた枠３００を本体１１０の下方から取り付けた後に、枠３００の電池挿入開口部３９０より電池２００を挿入し、コントロールユニット１２０の電池取付部１４０に電池２００を取り付けることができる。そして、非常用照明器具９０２は電池２００のみ取り外しが可能であり、保守交換にあたって枠３００を外す必要が無いため、保守性に優れている。
【００２５】
＜実施例２＞
図８は、実施例２における非常用照明器具９０２の分解斜視図である。
実施例２における非常用照明器具９０２は電池挿入開口部３９０を枠３００の側面３０１に有したことを特徴とする。
その他の事項は実施例１と同様である。
実施例２における非常用照明器具９０２に対して、利用者は、枠３００を取り外さなくても、電池２００を非常用照明器具９０２に装着することができ、枠３００の側面３０１から突出する電池２００の頭部２４０を摘んで電池２００を抜き差しして電池２００を脱着することができる。また、実施例２における非常用照明器具９０２は枠３００の側面３０１に電池挿入開口部３９０を有するため、枠３００の底面３０２において従来と同様な意匠性を確保することができる。
【００２６】
＜実施例３＞
図９は、実施例３における非常用照明器具９０２の分解斜視図である。
図１０は、実施例３における非常用照明器具９０２の設置図である。
図９では、実施例３における非常用照明器具９０２の構成の要部を概略的に示すと共に、実施例３における非常用照明器具９０２が枠３００ｂに電池２００を挿入するための電池挿入開口部３９０を有していることを示している。
また、図１０では天井９１０に埋め込むように設置された実施例３における非常用照明器具９０２を側方から示すと共に、実施例１と同様に、電池２００を下方から挿入した挿入先に電池取付部１４０が位置していることを示している。
その他の事項は実施例１と同様である。
リチウムポリマー蓄電池を薄板状に形成し、また、枠３００ｂに電池２００を挿入する電池挿入開口部３９０を有することにより、図９や図１０に示す埋設型の非常用照明器具９０２についても、利用者は枠３００ｂを取り外さずに電池２００を非常用照明器具９０２に対して脱着することができる。
【００２７】
各実施例では非常用の照明器具について説明したが、非常用照明器具９０２を一般の照明器具に置き換えてもよいし、非常用照明器具９０２を電池を電源とするその他の電気器具に置き換えてもよい。
【図面の簡単な説明】
【００２８】
【図１】実施例１における非常用照明器具９０２の分解斜視図。
【図２】実施例１における非常用照明器具９０２に用いる電池２００の外観を示す三面図。
【図３】実施例１における非常用照明器具９０２の設置図。
【図４】実施例１における非常用照明器具９０２の設置図。
【図５】実施例１における非常用照明器具９０２の設置図。
【図６】実施例１における非常用照明器具９０２に対する電池２００の取付図。
【図７】実施例１における非常用照明器具９０２に対する電池２００の取付図。
【図８】実施例２における非常用照明器具９０２の分解斜視図。
【図９】実施例３における非常用照明器具９０２の分解斜視図。
【図１０】実施例３における非常用照明器具９０２の設置図。
【図１１】従来の非常用照明器具９０１の分解斜視図。
【図１２】従来の非常用照明器具９０１の分解斜視図。
【図１３】図１２の非常用照明器具９０１の設置状況を示す設置図。
【図１４】実施例１における非常用照明器具９０２の設置図。
【符号の説明】
【００２９】
１００，１００ｂ  本体ブロック、１１０，１１０ｂ  本体、１２０，１２０ｂ  コントロールユニット、１２１，１２１ｂ  ＣＬインジケータ、１２２，１２２ｂ  点検スイッチ、１３１，１３１ｂ  電球、１３２，１３２ｂ  反射板、１４０  電池取付部、１４１  電池メスコネクタ、１４２  電池取付本体、１４３  電池保持ばね、１９１  ソケットコネクタ、１９２  張力止め、２００  電池、２１０  電池オスコネクタ、２２０  底部、２２１  上段底部、２２２  下段底部、２４０  頭部、３００，３００ｂ  枠、３０１  側面、３０２  底面、３１０，３１０ｂ  ＣＬインジケータ用丸穴、３２０，３２０ｂ  点検スイッチ用長穴、３３０，３３０ｂ  電球用開口部、３８１  ソケット台、３８２  張力止め、３８３  枠取付バネ、３９０  電池挿入開口部、３９１  電池取出用凹部、３９２  スライド板、３９３  スライド溝、８００，８００ｂ  電池ブロック、８１０  電池オスコネクタ、９０１，９０２  非常用照明器具、９１０  天井、９１１  壁。
【図１】
2008262770.tif 000003
【図２】
2008262770.tif 000004
【図３】
2008262770.tif 000005
【図４】
2008262770.tif 000006
【図５】
2008262770.tif 000007
【図６】
2008262770.tif 000008
【図７】
2008262770.tif 000009
【図８】
2008262770.tif 000010
【図９】
2008262770.tif 000011
【図１０】
2008262770.tif 000012
【図１１】
2008262770.tif 000013
【図１２】
2008262770.tif 000014
【図１３】
2008262770.tif 000015
【図１４】
2008262770.tif 000016